(57)【特許請求の範囲】
【請求項１】
通信回線を介してサーバに接続される親機と、該親機に接続される少なくとも１つの子機と、から成り、前記親機及び前記子機のいずれでも、インターネットから情報を取得することが可能な通信端末機器において、
前記親機で取得した情報を記憶する記憶手段を有し、前記子機に対して情報取得要求があった場合、前記通信回線を介してインターネットから所望の情報を取得する前に、前記子機で取得要求された情報が既に前記記憶手段に記憶されているか否かの判断を行い、所望の情報が前記記憶手段に記憶されている場合には、前記通信回線を介してインターネットから所望の情報を取得することなく、前記記憶手段から所望の情報を読み出す一方、所望の情報が前記記憶手段に記憶されていない場合には、前記通信回線を介してインターネットから所望の情報を取得するものであり、かつ、
前記記憶手段から情報を読み出す際、該情報が既得情報である旨を報知することを特徴とする通信端末機器。
【請求項２】
通信回線を介してサーバに接続される親機と、該親機に接続される少なくとも１つの子機と、から成り、前記親機及び前記子機のいずれでも、インターネットから情報を取得することが可能な通信端末機器において、
前記子機で取得した情報を記憶する記憶手段を有し、前記親機に対して情報取得要求があった場合、前記通信回線を介してインターネットから所望の情報を取得する前に、前記親機で取得要求された情報が既に前記記憶手段に記憶されているか否かの判断を行い、所望の情報が前記記憶手段に記憶されている場合には、前記通信回線を介してインターネットから所望の情報を取得することなく、前記記憶手段から所望の情報を読み出す一方、所望の情報が前記記憶手段に記憶されていない場合には、前記通信回線を介してインターネットから所望の情報を取得するものであり、かつ、
前記記憶手段から情報を読み出す際、該情報が既得情報である旨を報知することを特徴とする通信端末機器。
【請求項３】
前記記憶手段から情報を読み出す際、該情報を利用するか否かを確認することを特徴とする請求項１または請求項２に記載の通信端末機器。
【請求項４】
前記記憶手段からの情報読み出しを制限可能であることを特徴とする請求項１〜請求項３の何れかに記載の通信端末機器。
【請求項５】
前記子機は、前記親機を経由することなく直接通信回線に接続可能であることを特徴とする請求項１〜請求項４の何れかに記載の通信端末機器。
【発明の詳細な説明】
【０００１】
【発明の属する技術分野】
本発明は、通信回線を介してサーバに接続される親機と、該親機に接続される少なくとも１つの子機と、から成り、親機及び子機のいずれでも、インターネットから情報を取得することが可能な通信端末機器に関するものである。
【０００２】
【従来の技術】
パソコンやＰＤＡ[Personal Digital(Data) Assistant]、或いは携帯電話機やＰＨＳ[Personal Handyphone System]などを利用したインターネット接続サービスは近年急速な普及を遂げ、情報取得手段として確固たる地位を築いている。また、最近では、ブラウザ機能を搭載した固定電話機（以下、ブラウザ機能付き電話機と呼ぶ）も市場に提供され始めており、パソコンや携帯電話機などを持たないユーザ層にも、インターネット接続サービスは身近なものになりつつある。
【０００３】
なお、上記したブラウザ機能付き電話機では、パソコンなどを利用したインターネット接続サービスと同様、通信事業者やインターネット接続事業者（以下、プロバイダ等と呼ぶ）からアカウントを取得し、プロバイダ等の管理するＷＷＷ［World-Wide Web］サーバを介してインターネットへの接続を行っている。
【０００４】
【発明が解決しようとする課題】
確かに、上記したブラウザ機能付き電話機であれば、日常的に使い慣れた固定電話機を利用してインターネット接続サービスを享受することができるため、ユーザにとって非常に利便性が高い。特に、親機と子機から成るブラウザ機能付き親子電話機では、親機だけでなく子機でもインターネットへの接続が可能であるため、ユーザはインターネットから情報を取得する際に親機の設置場所へ移動する必要がなく、非常に使い勝手がよい。
【０００５】
しかしながら、従来のブラウザ機能付き親子電話機では、親機及び子機それぞれでインターネットから取得した情報（文字、画像、音楽等のリソース本体や、該リソースのＵＲＬ［Uniform Resource Locator］を登録したブックマーク情報など）を双方で共有することができなかった。そのため、子機で取得要求された情報が親機で取得済みであっても、子機では該情報をインターネットから再取得する必要があった。同様に、親機で取得要求された情報が子機で取得済みであっても、親機では該情報をインターネットから再取得する必要があった。
【０００６】
こうした情報の再取得には、通信回線への接続が必要となるため、ユーザは回線接続やアクセス認証に伴う時間や費用を負担しなければならなかった。また、ユーザがＵＲＬを手動入力しなければならない場合もあり、その操作は非常に煩わしいものであった。さらに、通信回線から見れば、親機及び子機における情報の重複取得は各々独立した通信であるため、トラフィック増大が招かれていた。
【０００７】
本発明は、上記の問題点に鑑み、親機及び子機それぞれで取得した情報を双方で共有可能な通信端末機器を提供することを目的とする。
【０００８】
【課題を解決するための手段】
上記目的を達成するために、本発明に係る通信端末機器は、通信回線を介してサーバに接続される親機と、該親機に接続される少なくとも１つの子機と、から成り、親機及び子機のいずれでも、インターネットから情報を取得することが可能な通信端末機器において、親機で取得した情報を記憶する記憶手段を有し、子機で取得要求された情報が記憶手段に記憶されている場合、該記憶手段から情報の読み出しを行う構成としている。
【０００９】
また、本発明に係る通信端末機器は、通信回線を介してサーバに接続される親機と、該親機に接続される少なくとも１つの子機と、から成り、親機及び子機のいずれでも、インターネットから情報を取得することが可能な通信端末機器において、子機で取得した情報を記憶する記憶手段を有し、親機で取得要求された情報が記憶手段に記憶されている場合、該記憶手段から情報の読み出しを行う構成としている。
【００１０】
なお、上記構成から成る通信端末機器は、記憶手段から情報を読み出す際、該情報が既得情報である旨を報知する構成にするとよい。
【００１１】
また、上記構成から成る通信端末機器は、記憶手段から情報を読み出す際、該情報を利用するか否かを確認する構成にするとよい。
【００１２】
さらに、上記構成から成る通信端末機器は、記憶手段からの情報読み出しを制限可能な構成にするとよい。
【００１３】
なお、上記構成から成る通信端末機器において、子機は、親機を経由することなく直接通信回線に接続可能な構成としてもよい。
【００１４】
また、上記構成から成る通信端末機器において、記憶手段は、情報の所在を示すＵＲＬのみを記憶する構成としてもよい。
【００１５】
【発明の実施の形態】
本発明に係る通信端末機器として、ここでは、ブラウザ機能を搭載し、ＰＨＳを子機として登録可能なディジタルコードレス親子電話機を例に挙げて説明を行う。図１は本発明に係る親子電話機の概略構成を示すブロック図である。本図に示すように、本実施形態の親子電話機は、通信回線Ｘを介してプロバイダ等の管理するＷＷＷサーバ（不図示）に接続される親機Ａと、該親機Ａに無線接続される少なくとも１つの子機（本図では子機Ｂ）と、から成り、親機Ａ及び子機Ｂのいずれでも、インターネットから情報を取得することが可能な構成である。
【００１６】
また、前述した通り、本実施形態の親子電話機は、ＰＨＳを子機として登録可能なディジタルコードレス電話機である。そのため、本実施形態のように、ＰＨＳを子機Ｂとして登録した場合、子機Ｂは、親機Ａを経由して通信回線Ｘ（ＩＳＤＮ［Integrated Services Digital Network］回線やアナログ電話回線）に接続可能なだけでなく、単独で通信回線Ｙ（無線電話回線）に接続することも可能である。このような構成とすることにより、子機Ｂを使用用途に応じて、子機端末或いは移動通信端末として使い分けることができるので、ユーザにとって非常に利便性が高い。なお、子機Ｂは、親機Ａと子機Ｂが双方向通信可能である場合に限り、親機Ａを経由して通信回線Ｘに接続することが可能である。
【００１７】
続いて、本実施形態の親子電話機を構成する親機Ａ及び子機Ｂの要部構成について説明する。まず、親機Ａの要部構成について説明する。本図に示すように、本実施形態の親機Ａは、親機Ａ全体の動作を制御する制御部Ａ１と、子機Ｂとの間で双方向通信を行う無線接続部Ａ２と、ダイヤルキーやブラウザ操作キーを備えた入力媒体Ａ３と、画像や文字情報、或いは音声や着信音等の出力を行う出力媒体Ａ４と、インターネットから取得した情報を記憶する記憶媒体Ａ５と、通信回線Ｘの開放や閉結、並びに発呼・鳴動・着呼等を制御する回線接続部Ａ６と、を有している。上記に挙げた無線接続部Ａ２、入力媒体Ａ３、出力媒体Ａ４、記憶媒体Ａ５、及び回線接続部Ａ６は、いずれも制御部Ａ１に接続されている。
【００１８】
次に、子機Ｂの要部構成について説明する。本図に示すように、本実施形態の子機Ｂは、子機Ｂ全体の動作を制御する制御部Ｂ１と、親機Ａとの間で双方向通信を行う一方で、親機Ａを経由することなく通信回線Ｙに接続する無線接続部Ｂ２と、ダイヤルキーやブラウザ操作キーを備えた入力媒体Ｂ３と、画像や文字情報、或いは音声や着信音等の出力を行う出力媒体Ｂ４と、インターネットから取得した情報を記憶する記憶媒体Ｂ５と、を有している。上記に挙げた無線接続部Ｂ２、入力媒体Ｂ３、出力媒体Ｂ４、及び記憶媒体Ｂ５は、いずれも制御部Ｂ１に接続されている。
【００１９】
なお、ユーザによるＵＲＬ入力を容易とするため、入力媒体Ａ３、Ｂ３は、キーボードやタッチパネル等の外部入力デバイスとしてもよい。また、記憶媒体Ａ５、Ｂ５は、インターネットから取得した情報のみを記憶する専用メモリである必要はなく、その他の動作に必要な汎用メモリの一部を利用してもよい。また、記憶媒体Ａ５、Ｂ５は着脱可能なメモリであってもよい。
【００２０】
続いて、本実施形態の親子電話機にて、親機Ａで取得した情報を子機Ｂで利用する場合の動作について説明する。まず、親機Ａに対して情報取得要求があった場合、制御部Ａ１は、入力媒体Ａ３からのＵＲＬ入力を処理し、通信回線Ｘ及び回線接続部Ａ６を介して、インターネットから情報を取得する。取得された情報は、出力媒体Ａ４で出力される一方、親機Ａでの既得情報として記憶媒体Ａ５に記憶される。なお、記憶媒体Ａ５には、情報本体だけでなく、該情報の所在を示すＵＲＬを記憶してもよい。
【００２１】
一方、子機Ｂに対して情報取得要求があった場合、制御部Ｂ１は、入力媒体Ｂ３からのＵＲＬ入力を処理し、親機Ａに対してインターネットからの情報取得を要求する。制御部Ｂ１からの情報取得要求を受けた制御部Ａ１は、通信回線Ｘへの接続を行う前に、子機Ｂで取得要求された情報が記憶媒体Ａ５に記憶されているか否かの判断を行う。ここで、所望の情報が記憶媒体Ａ５に記憶されている場合には、該情報を記憶媒体Ａ５から読み出して子機Ｂに送出する。
【００２２】
また、子機Ｂで取得要求された情報が記憶媒体Ａ５に記憶されていない場合には、通信回線Ｘ、回線接続部Ａ６、制御部Ａ１、無線接続部Ａ２、及び無線接続部Ｂ２を介して、インターネットから所望の情報を取得することができる。
【００２３】
このような構成とすることにより、子機Ｂで取得要求された情報が親機Ａで取得済みである場合、子機Ｂは、通信回線Ｘに接続することなく、所望の情報を取得することができる。従って、ユーザは回線接続やアクセス認証に伴う時間や費用を負担する必要がなくなり、通信回線のトラフィック増大も回避できる。
【００２４】
なお、本実施形態の親子電話機では、記憶媒体Ａ５から情報を読み出す際、該情報は親機Ａでの既得情報である旨が報知される。このような構成とすることにより、ユーザは、該情報が親機Ａで以前に取得されたものであり、現時点における最新情報ではない可能性があることを認識することができる。
【００２５】
また、本実施形態の親子電話機では、記憶媒体Ａ５から情報を読み出す際、該情報を利用するか否かの確認が行われる。このような構成とすることにより、ユーザは、親機Ａでの既得情報を子機Ｂでも利用するか、或いは、新たにインターネットから最新情報を取得するかを自身の意思で決定することができる。
【００２６】
さらに、上記構成から成る親子電話機では、記憶媒体Ａ５からの情報読み出しを制限することができる。具体的には、親機Ａでの既得情報を子機Ｂと共有するか否かについて、親機Ａにて各既得情報毎に共有可否設定を行うことができる。或いは、親機Ａでの既得情報を全て共有不可とする設定や、子機Ｂで所定操作を行った場合にのみ、親機Ａでの既得情報を共有可とする設定なども可能である。また、共有不可とした既得情報については、インターネットからの取得も含め、子機Ｂでの取得を一切禁止する設定も可能である。このような構成とすることにより、親機Ａと子機Ｂのユーザが異なり、プライバシーや教育上の問題等から、親機Ａでの既得情報を共有させたくない状況にも柔軟に対応することができる。
【００２７】
また、上記構成から成る親子電話機において、記憶媒体Ａ５は、親機Ａでの既得情報の所在を示すＵＲＬのみをブックマーク情報として記憶する構成としてもよい。この場合、子機Ｂは、インターネットからの情報取得要求を行う段階で、記憶媒体Ａ５から既得ブックマーク情報を読み出す構成とすればよい。或いは、親機Ａの記憶媒体Ａ５にＵＲＬをブックマーク情報として記憶する時点で、子機Ｂの記憶媒体Ｂ５にも、同様のブックマーク情報を記憶する構成としてもよい。
【００２８】
このような構成とすることにより、記憶媒体Ａ５、Ｂ５の容量を不必要に圧迫することなく、親機Ａでの既得情報を子機Ｂで共有することができる。また、子機Ｂでブックマーク情報を取得する際、通信回線に接続したりＵＲＬを手動入力したりする必要がないので、ユーザは回線接続やアクセス認証に伴う時間や費用を負担しなくて済む。さらに、所望の情報本体はインターネットから取得することになるので、常に最新情報を取得することが可能となる。
【００２９】
なお、親機Ａでの既得情報を子機Ｂで共有する形式は、上記の実施形態以外にも様々な形式が考えられる。例えば、子機Ｂにて親機Ａでの既得情報を一覧表示し、その中からユーザが所望の情報を選択する形式としてもよい。このような構成とすることにより、ユーザがＵＲＬを手動入力する必要がなくなるので、操作の煩わしさを大幅に軽減することができる。また、本形式を採用する場合には、親機Ａで共有不可とされた既得情報を一覧表示させないようにするとよい。
【００３０】
次に、本実施形態の親子電話機にて、子機Ｂで取得した情報を親機Ａで利用する場合の動作について説明する。まず、子機Ｂに対して情報取得要求があった場合、制御部Ｂ１は、入力媒体Ｂ３からのＵＲＬ入力を処理し、親機Ａに対してインターネットからの情報取得を要求する。制御部Ｂ１から情報取得要求を受けた制御部Ａ１は、通信回線Ｘ及び回線接続部Ａ６を介して、インターネットから情報を取得する。取得された情報は、無線接続部Ａ２、Ｂ２を介して子機Ｂに送られ、出力媒体Ｂ４で出力される一方、子機Ｂでの既得情報として記憶媒体Ｂ５に記憶される。また、本実施形態の親子電話機では、子機Ｂでの既得情報が親機Ａの記憶媒体Ａ５にも記憶される。さらに、記憶媒体Ａ５、Ｂ５には、情報本体だけでなく、該既得情報の所在を示すＵＲＬを記憶してもよい。
【００３１】
なお、ＰＨＳとして機能する子機Ｂに対して情報取得要求があった場合、制御部Ｂ１は、入力媒体Ｂ３からのＵＲＬ入力を処理し、通信回線Ｙ及び回線接続部Ｂ６を介して、インターネットから情報を取得する。取得された情報は、出力媒体Ｂ４で出力される一方、子機Ｂの既得情報として記憶媒体Ｂ５に記憶される。その後、親機Ａと子機Ｂが双方向通信可能となったとき、制御部Ｂ１は、記憶媒体Ｂ５に記憶された情報を読み出して親機Ａに送出する。子機Ｂから情報を受けた制御部Ａ１は、該情報を子機Ｂでの既得情報として記憶媒体Ａ５に記憶する。また、記憶媒体Ａ５には、情報本体だけでなく、該情報の所在を示すＵＲＬを記憶してもよい。
【００３２】
一方、親機Ａに対する情報取得要求があった場合、制御部Ａ１は、入力媒体Ａ３からのＵＲＬ入力を処理し、通信回線Ｘへの接続を行う前に、親機Ａで取得要求された情報が子機Ｂの既得情報として記憶媒体Ａ５に記憶されているか否かの判断を行う。ここで、所望の情報が記憶媒体Ａ５に記憶されている場合には、該情報が記憶媒体Ａ５から読み出され、出力媒体Ａ４で出力される。
【００３３】
また、親機Ａで取得要求された情報が記憶媒体Ａ５に記憶されていない場合には、通信回線Ｘ及び回線接続部Ａ６を介して、インターネットから所望の情報を取得することができる。
【００３４】
このような構成とすることにより、親機Ａで取得要求された情報が子機Ｂで取得済みである場合、親機Ａは、通信回線Ｘに接続することなく、所望の情報を取得することができる。従って、ユーザは回線接続やアクセス認証に伴う時間や費用を負担する必要がなくなり、通信回線のトラフィック増大も回避できる。
【００３５】
なお、本実施形態の親子電話機では、記憶媒体Ａ５から情報を読み出す際、該情報は子機Ｂでの既得情報である旨が報知される。このような構成とすることにより、ユーザは、該情報が子機Ｂで以前に取得されたものであり、現時点における最新情報ではない可能性があることを認識することができる。
【００３６】
また、本実施形態の親子電話機では、記憶媒体Ａ５から情報を読み出す際、該情報を利用するか否かの確認が行われる。このような構成とすることにより、ユーザは、子機Ｂでの既得情報を親機Ａでも利用するか、或いは、新たにインターネットから最新情報を取得するかを自身の意思で決定することができる。
【００３７】
さらに、上記構成から成る親子電話機では、記憶媒体Ａ５からの情報読み出しを制限することができる。具体的には、子機Ｂでの既得情報を親機Ａと共有するか否かについて、子機Ｂにて各既得情報毎に共有可否設定を行うことができる。或いは、子機Ｂでの既得情報を全て共有不可とする設定や、親機Ａで所定操作を行った場合にのみ、子機Ｂでの既得情報を共有可とする設定なども可能である。また、共有不可とした既得情報については、インターネットからの取得も含め、親機Ａでの取得を一切禁止する設定も可能である。このような構成とすることにより、親機Ａと子機Ｂのユーザが異なり、プライバシーや教育上の問題等から、子機Ｂでの既得情報を共有させたくない状況にも柔軟に対応することができる。
【００３８】
また、上記構成から成る親子電話機において、記憶媒体Ａ５は、子機Ｂでの既得情報の所在を示すＵＲＬのみをブックマーク情報として記憶する構成としてもよい。この場合、親機Ａは、インターネットからの情報取得要求を行う段階で、記憶媒体Ａ５から既得ブックマーク情報を読み出す構成とすればよい。
【００３９】
このような構成とすることにより、記憶媒体Ａ５、Ｂ５の容量を不必要に圧迫することなく、子機Ｂでの既得情報を親機Ａで共有することができる。また、親機Ａでブックマーク情報を取得する際、通信回線に接続したりＵＲＬを手動入力したりする必要がないので、ユーザは回線接続やアクセス認証に伴う時間や費用を負担しなくて済む。さらに、所望の情報本体はインターネットから取得することになるので、常に最新情報を取得することが可能となる。
【００４０】
なお、子機Ｂでの既得情報を親機Ａで共有する形式は、上記の実施形態以外にも様々な形式が考えられる。例えば、親機Ａにて子機Ｂでの既得情報を一覧表示し、その中からユーザが所望の情報を選択する形式としてもよい。このような構成とすることにより、ユーザがＵＲＬを手動入力する必要がなくなるので、操作の煩わしさを大幅に軽減することができる。また、本形式を採用する場合には、子機Ｂで共有不可とされた既得情報を一覧表示させないようにするとよい。
【００４１】
また、上記の実施形態では、本発明に係る通信端末機器として、ブラウザ機能を搭載したディジタルコードレス電話機を例に挙げて説明を行ったが、本発明はこれに適用対象を限定されるものではなく、親機と子機から成る通信端末機器に広く適用が可能なものである。例えば、親機・子機間の信号経路は有線・無線いずれであってもよいし、子機が独自の回線接続手段を有しているか否かも任意である。また、機器・サーバ間の通信回線についても有線・無線を問わない。
【００４２】
【発明の効果】
上記で説明した通り、本発明に係る通信端末機器は、通信回線を介してサーバに接続される親機と、該親機に接続される少なくとも１つの子機と、から成り、親機及び子機のいずれでも、インターネットから情報を取得することが可能な通信端末機器において、親機で取得した情報を記憶する記憶手段を有し、子機で取得要求された情報が記憶手段に記憶されている場合、該記憶手段から情報の読み出しを行う構成としている。
【００４３】
また、本発明に係る通信端末機器は、通信回線を介してサーバに接続される親機と、該親機に接続される少なくとも１つの子機と、から成り、親機及び子機のいずれでも、インターネットから情報を取得することが可能な通信端末機器において、子機で取得した情報を記憶する記憶手段を有し、親機で取得要求された情報が記憶手段に記憶されている場合、該記憶手段から情報の読み出しを行う構成としている。
【００４４】
このような構成とすることにより、本発明に係る通信端末機器では、親機及び子機それぞれでインターネットから取得した情報を双方で共有可能となる。すなわち、子機で取得要求された情報が親機で取得済みである場合、子機は、通信回線に接続することなく、所望の情報を取得することができる。同様に、親機で取得要求された情報が子機で取得済みである場合、親機は、通信回線に接続することなく、所望の情報を取得することができる。従って、ユーザは回線接続やアクセス認証に伴う時間や費用を負担する必要がなくなり、通信回線のトラフィック増大も回避することができる。
【００４５】
なお、上記構成から成る通信端末機器は、記憶手段から情報を読み出す際、該情報が既得情報である旨を報知する構成にするとよい。このような構成とすることにより、ユーザは、該情報が以前に取得されたものであり、現時点における最新情報ではない可能性があることを認識することができる。
【００４６】
また、上記構成から成る通信端末機器は、記憶手段から情報を読み出す際、該情報を利用するか否かを確認する構成にするとよい。このような構成とすることにより、ユーザは、既得情報を利用するか、或いは、新たにインターネットから最新情報を取得するかを自身の意思で決定することができる。
【００４７】
さらに、上記構成から成る通信端末機器は、記憶手段からの情報読み出しを制限可能な構成にするとよい。このような構成とすることにより、親機と子機のユーザが異なり、プライバシーや教育上の問題等から、一方での既得情報を他方で共有させたくない状況にも柔軟に対応することができる。
【００４８】
なお、上記構成から成る通信端末機器において、子機は、親機を経由することなく直接通信回線に接続可能な構成としてもよい。このような構成とすることにより、子機を使用用途に応じて、子機端末或いは移動通信端末として使い分けることができるので、ユーザにとって非常に利便性が高い。
【００４９】
また、上記構成から成る通信端末機器において、記憶手段は、情報の所在を示すＵＲＬのみを記憶する構成としてもよい。このような構成とすることにより、記憶手段の容量を不必要に圧迫することなく、親機及び子機それぞれでの既得情報を双方で共有することができる。また、ブックマーク情報を取得する際、通信回線に接続したりＵＲＬを手動入力したりする必要がないので、ユーザは回線接続やアクセス認証に伴う時間や費用を負担しなくて済む。さらに、所望の情報本体はインターネットから取得することになるので、常に最新情報を取得することが可能となる。
【図面の簡単な説明】
【図１】  本発明に係る親子電話機の概略構成を示すブロック図である。
【符号の説明】
Ａ    親機
Ｂ    子機
Ａ１、Ｂ１    制御部
Ａ２、Ｂ２    無線接続部
Ａ３、Ｂ３    入力媒体
Ａ４、Ｂ４    出力媒体
Ａ５、Ｂ５    記憶媒体
Ａ６    回線接続部
Ｘ、Ｙ    通信回線
【図１】
0004118037.tif 000002